(57)【要約】【課題】  耐湿性の優れた固体撮像装置及びその製造方法を提供する。【解決手段】  固体撮像装置は、複数の光電変換部を含む光電変換部を有する第１基板と、複数の光電変換部の電荷に基づく信号を読み出すための読み出し回路及び制御回路を含む周辺回路の少なくとも一部を有する第２基板と、第１基板と第２基板との間に配置された、引き出し配線を介して周辺回路と電気的に接続されたパッド部と、絶縁層と、を有する配線構造と、を有し、配線構造の少なくとも一部に、光電変換部及び周辺回路の周囲をそれぞれ囲むように配置されたシールリングを有する。【選択図】  図１
2020191467.tif 000002
【特許請求の範囲】
【請求項１】
第１構造を有する第１部材と第２構造を有する第２部材と、を備える装置であって、
前記第１構造と前記第２構造が互いに接することでシール部を構成していることを特徴とする装置。
【請求項２】
前記シール部では、前記第１構造の導電体と前記第２構造の導電体とが互いに接している、請求項１に記載の装置。
【請求項３】
前記シール部では、前記第１構造の絶縁体と前記第２構造の絶縁体とが互いに接している、請求項１または２のいずれか１項に記載の装置。
【請求項４】
前記シール部は、前記第１部材と前記第２部材とを電気的に接続する領域の周囲に設けられている、請求項１乃至３のいずれか１項に記載の装置。
【請求項５】
前記シール部は、前記領域を囲む、請求項４に記載の装置。
【請求項６】
前記シール部は、前記装置の外部から前記シール部が囲む領域への水分の侵入を抑制する、請求項１乃至５のいずれか１項に記載の装置。
【請求項７】
前記領域では、前記第１構造の第１導電パターンと前記第２構造の第２導電パターンとが互いに接している、請求項４乃至６のいずれか１項に記載の装置。
【請求項８】
前記第１導電パターンおよび前記第２導電パターンを介して前記第１部材と前記第２部材とが電気的に接続されている、請求項７に記載の装置。
【請求項９】
前記シール部は、所定幅よりも小さい幅を有する複数の部分と、所定幅よりも大きい幅を有する複数の部分とを有する、請求項１乃至８のいずれか１項に記載の装置。
【請求項１０】
前記シール部は、前記所定幅よりも小さい幅を有する前記複数の部分のうちの少なくとも２つと、前記所定幅よりも大きい幅を有する前記複数の部分のうちの少なくとも２つとが交互に配されて構成されている、請求項９に記載の装置。
【請求項１１】
第１構造を有する第１部材と第２構造を有する第２部材と、を備える装置であって、
前記第１構造の導電体と前記第２構造の導電体が互いに接することで複数の接続部を構成しており、
前記複数の接続部は、少なくとも２つの接続部と、前記２つの接続部の間に位置する少なくとも１つの接続部と、を含み、
前記２つの接続部のそれぞれの幅は、前記１つの接続部の幅と異なることを特徴とする装置。
【請求項１２】
前記２つの接続部のそれぞれの幅は、前記１つの接続部の幅よりも大きい、請求項１１に記載の装置。
【請求項１３】
前記複数の接続部の周囲では、前記第１構造の絶縁体と前記第２構造の絶縁体とが互いに接している、請求項１１または１２のいずれか１項に記載の装置。
【請求項１４】
前記第１構造の前記導電体および前記第２構造の前記導電体の主成分は銅である、請求項２または１１に記載の装置。
【請求項１５】
前記第１構造の前記絶縁体および前記第２構造の前記絶縁体はシリコン酸化膜、シリコン酸窒化膜またはシリコン窒化膜を含む、請求項３または１３に記載の装置。
【請求項１６】
前記第１部材は第１半導体基板を含み、前記第２部材は第２半導体基板を含む、請求項１乃至１５のいずれか１項に記載の装置。
【請求項１７】
前記第１半導体基板の厚みは前記第２半導体基板の厚みよりも小さい、請求項１６に記載の装置。
【請求項１８】
前記第１半導体基板は開口を有する、請求項１６または１７に記載の装置。
【請求項１９】
前記第２半導体基板には貫通電極が設けられている、請求項１６または１７に記載の装置。
【請求項２０】
請求項１乃至１９のいずれかに記載の装置と、
前記装置から出力された信号を処理する処理部と、を備えることを特徴とするシステム。
【発明の詳細な説明】
【技術分野】
【０００１】
本発明は、複数の部材を貼り合わせて構成する固体撮像装置に関する。
【背景技術】
【０００２】
固体撮像装置において、光電変換部と周辺回路部とを別の基板に分けて形成し、それらをマイクロバンプ等で電気的に接続する構成が知られている。
【０００３】
特許文献１には、光電変換部や信号読み出し用の読み出し回路を設けた画素を含む第１の半導体基板と、画素から読み出された信号を処理するための周辺回路を含む第２の半導体基板とを貼り合わせた裏面照射型の固体撮像装置が記載されている。
【先行技術文献】
【特許文献】
【０００４】
【特許文献１】特開２００９−１７０４４８号公報
【発明の概要】
【発明が解決しようとする課題】
【０００５】
各種回路を有する半導体基板は、半導体基板の周囲の雰囲気等から侵入する水分やイオンから素子を保護する必要がある。そこで、特許文献１に記載されるような第１の半導体基板と第２の半導体基板を有する固体撮像装置において、周囲の雰囲気等から侵入する水分やイオンからの保護が求められていた。
【０００６】
そこで本発明においては、耐湿性が改善された固体撮像装置を提供することを目的とする。
【課題を解決するための手段】
【０００７】
本発明の固体撮像装置は、各々が光電変換部及び該光電変換部で生じた信号を処理もしくは該信号を読み出すための読み出し回路を有する複数の画素と、前記複数の画素の信号を読み出すための周辺回路とを有し、前記複数の光電変換部は第１部材に配され、少なくとも前記読み出し回路の一部、及び前記周辺回路が第２部材に配されており、前記光電変換部からの信号を前記第２の部材に配された前記読み出し回路が受けるように前記第１部材と前記第２部材とが貼り合わせられて構成された固体撮像装置であって、前記固体撮像装置の外部から前記複数の画素及び前記周辺回路への水分の浸入を抑制するシール部を有し、該シール部は、前記第１部材に配された第１シール部と、前記第２部材に配された第２シール部とを有し、前記第１シール部の一部と前記第２シール部の一部とが接している。
【発明の効果】
【０００８】
本発明によれば、例えば、外部からの水分の浸入が抑制された固体撮像装置が提供可能である。
【図面の簡単な説明】
【０００９】
【図１】実施例１における固体撮像装置の斜視図及び平面図である。
【図２】実施例１における固体撮像装置の回路図である。
【図３】実施例１における固体撮像装置の平面レイアウトを説明する平面模式図である。
【図４】実施例１における固体撮像装置の断面模式図である。
【図５】実施例１における固体撮像装置の断面模式図である。
【図６】実施例１における固体撮像装置の製造方法を説明する断面模式図である。
【図７】実施例１における固体撮像装置の製造方法を説明する断面模式図である。
【図８】実施例１における固体撮像装置の製造方法を説明する断面模式図である。
【図９】実施例２における固体撮像装置の断面模式図である。
【図１０】実施例３における固体撮像装置の断面模式図である。
【図１１】実施例３における固体撮像装置の断面模式図である。
【図１２】実施例４における固体撮像装置の断面模式図である。
【図１３】実施例５における固体撮像装置の断面模式図である。
【発明を実施するための形態】
【００１０】
以下、本発明について図面を用いて詳細に説明を行うなお、実施例の説明において、第１基板の一主面及び第２基板の一主面とは光電変換部もしくはトランジスタが配される基板表面である該主面と対向する反対側の面が、第１基板の裏面及び第２基板の裏面であるまた、特に説明上方向は裏面から主面に向かう方向とし、下方向及び深さ方向は基板の主面から裏面に向かう方向とする。
【００１１】
また本発明においては外部からの水分の侵入を抑制するシール部としてシールリングを例にとり説明するが水分などの侵入を抑制する機能を有していればリング形状に限られるものではない。
【００１２】
（実施例１）
本発明の実施例１について、図１から図８を用いて説明する。
【００１３】
図１は、実施例１の固体撮像装置を示しており、図１（Ａ）が固体撮像装置の斜視図であり、図１（Ｂ）は、図１（Ａ）の固体撮像装置を光入射側から見た平面図である図１（Ａ）に示すように、本実施例の固体撮像装置は、第１部材３０８と第２部材３０９とが貼り合わされた構造を有する第１部材３０８及び第２部材３０９はそれぞれが第１基板、第２基板を有している第１基板と第２基板との間には配線構造が配され、好ましくはこの配線構造は複数の配線層を含む以下、添え字でＡ、Ｂが振られている場合には、便宜上、第１部材３０８に配される構成にＡ、第２部材３０９に配される構成にＢを振ることとする。
【００１４】
第１部材３０８は、第２部材３０９よりも光入射側に配されている図１（Ｂ）において、図の左半分が第１部材３０８を示し、右半分は第１部材３０８が存在する部分を図示せず、第２部材３０９を示している第１部材３０８を図示していない右半分に関しても、左半分と同様にレイアウトすることができる。
【００１５】
図１において、３０１Ａ、３０１Ｂは画素部である画素部３０１Ａにはそれぞれが画素に対応する複数の光電変換部が配されている１１８はマイクロレンズであるマイクロレンズ１１８は各光電変換部に光を集光させる１２０は周辺回路である画素部３０１の信号を読み出すための種々の回路が配されている周辺回路１２０の主たる部分は第２部材３０９に配されるが、周辺回路１２０の一部を第１部材３０８に配することもできる。
【００１６】
３１２Ａはパッド部であるパッド部３１２Ａには複数のパッド３１３が配置されている複数のパッド３１３は、外部回路との信号等のやり取りを行う入力パッド、出力パッド（以下パッド）を含み得るパッド３１３は、例えば、配線構造の一部である導電パターンにより構成されうる通常、配線を構成する導電パターンは絶縁体により囲まれているが、パッドと外部回路とを電気的に接続するため、パッド上の絶縁体に開口１００が配置されている。
【００１７】
そして、外部からの水分の浸入を抑制するためのシールリング１５０Ａ、１５１Ａ、１５２Ａ、１５０Ｂが配置されている第１部材３０８には、第１部材３０８の最外周にシールリング１５０Ａが配置され、シールリング１５０Ａの内側であって、パッド部３１２Ａと画素部３０１Ａとの間にシールリング１５２Ａが配置されるまた、パッド部３１２Ａに配された各パッド３１３を囲むようにシールリング１５１Ａが配置されているまた、第２部材３０９には最外周にシールリング１５０Ｂが配置されているつまり第１部材３０８はシールリング１５０Ａ〜１５２Ａを含んで構成される第１シール部を有し、第２部材は１５０Ｂを含んで構成される第２シール部を有しているシールリングは主にそれぞれが配される部材に対して外部からの水分の浸入を抑制する後述するように、第１シール部の一部と第２シール部の一部とが接しているより具体的には第１シール部の第２部材３０９に対向する面と、前記第２シール部の第１部材３０８に対向する面とが接している。
【００１８】
ここでシールリングに関してさらに詳細に説明する本発明におけるシールリングは配置により４種類に分類でき、以下の実施例ではこれら４種類のシールリングを適宜組み合わせてシール部を構成する。
【００１９】
まず一つ目の分類としては、それぞれの部材の最外周部に配されるシールリングである以下の実施例では符号１５０Ａ、１５０Ｂが振られるシールリング１５０Ａ、１５０Ｂは、各部材が有する、画素部、周辺回路部、パッド部よりも外側に配置される。
【００２０】
二つ目の分類としては、パッド部に配される各パッドの周囲に配され、該パッドを囲うように配されるシールリングである以下の実施例では符号１５１Ａ、１５１Ｂが振られる。
【００２１】
三つ目の分類としては、パッド部と画素部もしくはパッドと周辺回路部との間に配されるシールリングである以下の実施例では符号１５２Ａ，１５２Ｂが振られる。
【００２２】
四つ目の分類としては、それぞれの部材の貼り合わせ面に配された絶縁体により構成されたシール部であるこのシール部はパッシベーション層と兼ねることができる具体的にはＳｉＮ、ＳｉＯＮを用いることができるこれらはＳｉＯ２に比べて吸湿性が高いためシール機能も高い。
【００２３】
本発明においては以上の四つに分類されたシールリングを適宜組み合わせてシール部を構成するより具体的には第１部材に配された第１シール部と第２部材に配された第２シール部とが互いに接してシール部を構成するシール機能を高めるためには、それぞれの部材に配されるシール部のうち、同じ分類のシールリングどうしを接触させるのがよい。
【００２４】
次に、図２を用いて実施例１の固体撮像装置の等価回路図を説明する本実施例では、信号電荷が電子の場合について説明を行う図２の固体撮像装置３００は、各々が光電変換部と光電変換部で生じた信号を処理もしくは該信号を読み出すための読み出し回路を有する複数の画素が配列された画素部３０１を有する更に、複数の画素からの信号を読み出すための周辺回路部３０２を有する周辺回路部３０２には図１の複数の周辺回路１２０が配される。
【００２５】
画素部３０１には、光電変換部３０３と、転送トランジスタ３０４と、増幅トランジスタ３０６と、リセットトランジスタ３０７が複数配置されている１つの光電変換部３０３を含む構成を画素とする本実施例の１つの画素は、光電変換部３０３と、転送トランジスタ３０４と、増幅トランジスタ３０６と、リセットトランジスタ３０７を含む転送トランジスタ３０４のソースは光電変換部３０３と接続しており、転送トランジスタ３０４のドレインは増幅トランジスタ３０６のゲートと接続しているこの増幅トランジスタ３０６のゲートと同一のノードをノード３０５とするリセットトランジスタ３０７のソースはノード３０５に接続し、ノード３０５の電位を任意の電位（例えば、リセット電位）に設定するリセットトランジスタ３０７のドレインにはリセット電圧が供給可能な構成となっているここで、増幅トランジスタ３０６はソースフォロア回路の一部であり、ノード３０５の電位に応じた信号を信号線ＲＬに出力するノード３０５はフローティングディフュージョンを含んで構成することができる。
【００２６】
周辺回路部３０２は複数の周辺回路が配されている例えば、画素部３０１のトランジスタのゲートへ制御信号を供給するための垂直走査回路ＶＳＲと、画素部３０１から出力された信号を増幅もしくは加算もしくはＡＤ変換などの信号処理を行う読み出し回路ＲＣを有するまた、周辺回路部３０２は、読み出し回路ＲＣから信号を順次出力するためのパルスを供給する水平走査回路ＨＳＲを有する。
【００２７】
ここで、実施例１の固体撮像装置は、複数の光電変換部３０３は第１部材３０８に配されており、少なくとも画素の読み出し回路の一部、及び前記周辺回路が第２部材３０９に配されている具体的には光電変換部３０３と転送トランジスタ３０４とが第１部材３０８に配された画素部３０１Ａとなり、それ以外の画素の構成要素が第２部材３０９に配された画素部であるなお、第１基板と第２基板の画素部の各トランジスタの配置は上記の構成に限られず、適宜、状況に合わせて変更可能である。
【００２８】
接続部３１０は、第１基板に配された転送トランジスタ３０４のゲートと第２の部材に配された周辺回路１２０とを電気的に接続するノードである接続部３１０の具体的な構成については後述する。
【００２９】
光電変換部３０３にて生じた電荷は、転送トランジスタ３０４のドレイン、即ちノード３０５に読み出されるノード３０５は、第１部材３０８に配された構成と第２部材３０９に配された構成とを含み得る具体的に第１部材３０８に含まれる構成は、フローティングディフュージョン、及びフローティングディフュージョンと電気的に接続された第１配線構造の一部である第２部材３０９に含まれる構成は、リセットトランジスタ３０７のソース、増幅トランジスタ３０６のゲートと、及びこれらと第１配線構造の一部とを電気的に接続する第２配線構造の一部である。
【００３０】
このような構成によって、従来の１つの部材（即ち１つの基板）に画素部、周辺回路部の全てを配置する場合に比べて、光電変換部３０３の面積を大きくすることが可能となり感度を向上させることが可能となるまた、従来の構成に比べて、光電変換部の面積を同一とするならば、光電変換部３０３を多く設けることが可能となり、多画素化が可能となるそして、第１部材３０８の第１配線構造の一部と、第２部材３０９の第２配線構造の一部とにより、固体撮像装置の外部から侵入する水分を抑制するシール部を構成することができる。
【００３１】
固体撮像装置の具体的な平面レイアウトを、図３の固体撮像装置の平面模式図を用いて説明する図３（Ａ）は第１部材３０８の平面レイアウトを示すための上面図であり、図３（Ｂ）は第２部材３０９の平面レイアウトを示すための上面図である図１と図２と同様の機能を有する部分には同様の符号を付し詳細な説明は省略する。
【００３２】
図３（Ａ）において、第１部材３０８には、複数の光電変換部３０３が配された画素部３０１Ａと、複数のパッド３１３が配されたパッド部３１２Ａとが配されている画素部３０１Ａには、光電変換部３０３と転送トランジスタ３０４とが複数配されているまた、パッド３１３と平面的に同一位置に第２部材３０９との電気的接続のための接続部３１４Ａが配されている接続部は配線構造に含まれる配線層と同一層で形成される導電パターンにより構成することができる。
【００３３】
パッド３１３が入力パッドの場合には、パッド３１３に入力された信号もしくは電源電圧等が、接続部３１４Ａを介して、第２の部材３０９の回路に供給されるパッド３１３が出力パッドの場合には、第２の部材３０９からの信号が接続部３１４Ａを介して、パッド３１３に伝達されるなお、パッドには、配線層に配置された、外部回路が電気的に接続される電極パッドや半導体基板の一方の面から対向する他方の面に貫通する貫通電極と接続される電極パッドが含まれる。
【００３４】
次に、図３（Ｂ）において、第２部材３０９には、画素部３０１Ｂと周辺回路部３０２Ｂとパッド部３１２Ｂとが配されているパッド部３１２Ｂにはパッドそのものが配されるわけではなく、第２部材３０９においてパッド３１３と電気的接続を取るための導電パターンが配される領域である画素部３０１Ｂには画素の読み出し回路を構成するトランジスタが配されており、例えば、図２における増幅トランジスタ３０６とリセットトランジスタ３０７が複数配置されている周辺回路部３０２には水平走査回路ＨＳＲ、垂直走査回路ＶＳＲ、読み出し回路ＲＣが配されているパッド部３１２Ｂには、第１部材３０８に配された接続部３１４Ａとの接続のための接続部３１４Ｂが配されている水平走査回路ＨＳＲ、垂直走査回路ＶＳＲ、読み出し回路ＲＣと、夫々に対応する接続部３１４Ｂとは引き出し配線３１６を介して電気的に接続されている。
【００３５】
図３（Ａ）及び図３（Ｂ）に示した平面レイアウトを有する第１部材３０８と第２部材３０９とは、図１で示した２つの部材が貼り合わせられた本実施例の固体撮像装置を個々に説明するための図である具体的には、画素部３０１Ａと画素部３０１Ｂとが重なるように配置されるそして、接続部３１４Ａと接続部３１４Ｂとが接続するなお、図３では、第２部材３０９の周辺回路部３０２Ｂに対応する第１部材３０８の領域を周辺回路部３０２Ａとして示している周辺回路部３０２Ａには走査回路の一部を配置してもよいし、回路素子を配さなくてもよいなお、第１部材３０８と第２部材３０９との役割の関係において、第１部材３０８は少なくとも光電変換部を有し、第２部材３０９は画素の読み出し回路あるいは周辺回路の少なくとも一部を有する。
【００３６】
次に、第１部材３０８のシール部について説明する以下の説明では、シール部は、第２部材３０９側から第１基板１０１に垂直に投影した場合における配置を示している第１部材３０８は、最外周部にシールリング１５０Ａが配置されているここで最外周部とは、例えば、これよりも外側に回路素子が配されていない、もしくは導電パターンが配されていないことを示す更に、画素部３０１の周辺に配置された複数のパッド３１３には、個々のパッド３１３の周囲を囲むようにシールリング１５１Ａが配置されているシールリング１５１Ａは、パッド３１３と第１基板１０１に配された半導体領域との両者に電気的に接続させることができるなお、シールリング１５１Ａが接続された半導体領域を含んで静電破壊保護回路を形成することが可能である静電破壊保護回路の一例としては保護ダイオードを用いることができるシールリング１５１Ａにより、パッド開口部１００からの水分浸入を抑制すると共に、外部からのノイズによる影響を抑制することができる。
【００３７】
そして、パッド部３１２Ａと画素部３０１との間にはシールリング１５２Ａが配置されているシールリング１５１Ａを有する場合には、シールリング１５２Ａは、シールリング１５１Ａの画素部側の端部と、画素部３０１との間に配置されるのがよい好ましくは、シールリング１５２Ａは画素部３０１の周囲を囲んでいる。
【００３８】
次に、第２部材３０９のシール部について説明する以下の説明における配置は、第１部材３０８側から第２基板１２１に垂直に投影した場合における配置を示している。
【００３９】
第２部材３０９のシールリング１５０Ｂは、第２部材３０９の最外周部に配されている各周辺回路１２０と各接続部３１４Ｂとを電気的に接続するための複数の引き出し配線３１６を有する場合は、複数の引き出し配線３１６よりも外側にシールリング１５０Ｂを配置するのがよい好ましくはシールリング１５０Ｂは、図示するように複数の引き出し配線３１６を囲むように配するのがよいまた、第２部材３０９のパッド部３１２Ｂにパッド３１３が配置される場合は、第１部材３０８のシールリング１５１Ａと同様に配置されたシールリング１５１Ｂ（不図示）を設けてもよい。
【００４０】
第１部材３０８と第２部材３０９とが貼り合わされた時の各部材におけるシールリングの位置関係は、重なる配置、重ならない配置のどちらでも可能である特に、パッシベーション層が配線構造の表面側に配置されている場合は、第１、第２部材の各シールリングは重ならなくても良いこれはパッシベーション層がシール部の一部を構成するためであるこの時パッシベーション層は配線構造の他の絶縁膜よりも吸湿性が高い材料で構成されるのがよい具体的な材料としては、窒素を含む材料であり、ＳｉＮ、ＳｉＯＮなどを用いることができる。
【００４１】
また、第１部材３０８及び第２部材３０９の、導電体で構成したシールリングどうしを接するように配置することで防湿性が向上し、更には、信頼性が向上するまた、第１、第２部材の導電体で構成したシールリングどうしを接触させ連続的に一体化してシール部を構成することも考えられるこの場合は、第１部材３０８のウエハと第２部材３０９のウエハとを結合させた後でダイシングする時に、チッピングの範囲の拡大をシールリングで抑えることができる更には、歩留まりや信頼性が向上する。
【００４２】
図４は、図１のＸ−Ｘ’線での断面模式図であり、図２及び図３に示した回路、平面レイアウトを有する固体撮像装置を説明する図である図４では、図１〜図３と同一の構成には同一の符号を付し詳細な説明を省略する。
【００４３】
本実施例の固体撮像装置は、第１基板と、第２基板と、第１基板と第２基板の間に配置された配線構造と、を有する第１基板は好ましくは半導体基板であり、第１の部材３０８に含まれる第２基板は好ましくは半導体基板であり、第２の部材３０９に含まれる。
【００４４】
配線構造は、好ましくは、複数の配線層が絶縁層を介して積層された構造を有しているまた、配線構造は、第１の部材３０８が第１の配線構造を有し第２の部材３０９が第２配線構造を有して構成されてもよいこの場合は第１配線構造及び第２配線構造の両者が複数の配線層が絶縁層を介して積層された構造を有しているとよいもしくは第１及び第２の部材の一方のみが配線構造を有して構成されてもよい。
【００４５】
第１部材３０８は、絶縁層と配線層とを少なくとも有する第１配線構造と第１基板１０１とを有する第１基板１０１は例えば半導体基板であり、主面１０２と裏面１０３とを有する本実施例における第１基板１０１はｎ型のシリコン半導体基板である第１基板の主面１０２には光電変換部３０３が配置されている第１配線構造は、層間絶縁膜１０４〜１０６と、ゲート電極やゲート配線を含むゲート電極層１０７を含む更に、複数の配線を含む配線層１０９、１１１と、複数のコンタクトプラグあるいはビアプラグを含むプラグ層１０８、１１０とを有する層間絶縁膜１０６は、第１配線構造の最表面に配置されたパッシベーション層であるここではパッシベーション層としてＳｉＮを有する絶縁膜を用いている。
【００４６】
第１基板１０１には、光電変換部３０３を構成するｎ型半導体領域１１２と、転送トランジスタのドレインつまりフローティングディフュージョンであるｎ型半導体領域１１４が配されている更に、素子分離構造１１９が配されている素子分離構造１１９は絶縁体を用いて構成してもよいし、絶縁体を用いずにＰＮ接合分離を用いてもよいもしくは両者を組み合わせて用いてもよい転送トランジスタ３０４はｎ型半導体領域１１２とｎ型半導体領域１１４とゲート電極層１０７に含まれるゲート電極１１３とを含んで構成されるここで、ｎ型半導体領域１１２の電荷は、ゲート電極１１３に供給される駆動パルスによって、ｎ型半導体領域１１４に転送されるｎ型半導体領域１１４に転送された電荷に基づく電位はプラグ層１０８、配線層１０９、プラグ層１１０、配線層１１１を介して、第２部材３０９へと伝達される配線層１１１に含まれる導電パターンの一部が接続部３１１Ａを構成するなお、光電変換部３０３は更に受光面側にｐ型半導体領域を有する埋込みフォトダイオードであってもよく、フォトゲートであってもよく、適宜変更可能である。
【００４７】
画素部３０１Ａの第１基板１０１の裏面１０３側には、平坦化層１１５、複数のカラーフィルタを含むカラーフィルタ層１１６、平坦化層１１７、複数のマイクロレンズを含むマイクロレンズ層１１８がこの順に配置されている図４において、複数のカラーフィルタ及び複数のマイクロレンズはそれぞれが１つの光電変換部に対応して、すなわち画素毎に配置されているが、複数画素に対して１つずつ設けられていてもよい本実施例の固体撮像装置は、このマイクロレンズ層１１８側から光が入射し光電変換部が受光する、所謂裏面照射型の固体撮像装置である。
【００４８】
第１部材３０８のパッド部３１２Ａには、パッド３１３と、パッド３１３上を露出する開口部１００とが配されているまた、パッド３１３と電気的に接続された接続部３１４Ａが配置されている接続部３１４Ａは配線層１１１に含まれる導電パターンにより構成される。
【００４９】
第１部材３０８の第１配線構造の一部でシールリングが構成されているシールリング１５０Ａ、１５１Ａ、１５２Ａは、配線層やプラグ層と同一工程で形成される導電パターンで形成することができる。
【００５０】
シールリング１５０Ａを第２部材３０９側から第１基板１０１に垂直に投影した領域は、第１部材の最外周に配されるしたがって第１基板の複数の光電変換部が配された領域、つまり画素部３０１Ａはシールリング１５０Ａを投影した領域の内側に配されるシールリング１５０Ａは、画素部３０１Ａ及びパッド部３１２Ａの両者の外側に設けられ、それらの全体を囲んでいる。
【００５１】
シールリング１５２Ａを第２部材３０９側から第１基板１０１に垂直に投影した領域は、画素部３０２とパッド部３１２Ａとの間に配される更に好ましくは、シールリング１５２Ａは画素部３０１Ａを囲んでいる。
【００５２】
この配置関係は、図４と図３（Ａ）とを参照すればより容易に理解されるそして、シールリング１５０Ａ，１５２Ａは第１基板１０１の主面１０２から層間絶縁膜１０６の第１基板１０１とは反対側の表面まで配置されている。言い換えると、シールリング１５０Ａ，１５２Ａは、半導体基板からパッシベーション膜として機能する層間絶縁膜１０６の第２部材３０９と接する面まで導電体が連続して配された構造である。
【００５３】
本実施例においては、更に、パッド部３１２Ａに配された各パッド３１３周囲にシールリング１５１Ａを有する。
【００５４】
シールリング１５０Ａと１５２Ａの少なくとも一方を有していれば、固体撮像装置の端部、およびパッド開口部から固体撮像装置内の素子への水分の浸入経路が狭くなるため、防湿性が確保できる。
【００５５】
また各シールリングは、第１基板１０１内に配置された、例えば、第１基板１０１と同じ導電型である半導体領域１１４´、１１２´を介して基板電位が供給されているこのような構成とすると、外来ノイズの影響を抑制することができる。
【００５６】
第２部材３０９は、第２配線構造と第２基板１２１とを有する第２基板１２１は例えば半導体基板であり、主面１２２と裏面１２３とを有する第２基板の主面１２２にはトランジスタが配置される第２配線構造は、層間絶縁膜１２４〜１２７と、ゲート電極や配線を含むゲート電極層１２８と、複数の配線を含む配線層１３０、１３２、１３４と、複数のコンタクトあるいはビアを含むプラグ層１２９、１３１、１３３とを有する更に、最上配線層である配線層１３４に含まれる導電パターンは、第１部材３０８との電気的接続部を含む層間絶縁膜１２７は、第２配線構造の最表面に配置されたパッシベーション層であるここではパッシベーション層として窒素を含むＳｉＮ，ＳｉＯＮを用いることができる。
【００５７】
第２基板１２１の画素部３０１Ｂには、増幅トランジスタ３０６のチャネルを提供するｐ型の半導体領域１３５と、増幅トランジスタ３０６のｎ型のソース領域、ドレイン領域１３８と、素子分離構造１３６とが配されている増幅トランジスタ３０６は、ゲート電極層１２８に含まれるゲート電極１３７と、ソース領域、ドレイン領域１３８とで構成されるここで、第１部材３０８の接続部３１１Ａと増幅トランジスタのゲート電極１３７とは、配線層１３４、プラグ層１３３、配線層１３２、プラグ層１３１、配線層１３０、プラグ層１２９とを介して電気的に接続されるここで、図２のノード３０５は、図４のｎ型半導体領域１１４と、配線層１０９、１１１、１３４、１３２、１３０の配線と、プラグ層１０８、１１０、１３３、１３１、１２９のコンタクトプラグあるいはビアプラグと、ゲート電極１３７と、を含んで構成される画素部３０１Ｂの他の回路（例えば、リセットトランジスタ）は不図示である。
【００５８】
第２部材３０９の周辺回路部３０２には、水平走査回路ＨＳＲや垂直走査回路ＶＳＲが配置されている図４では、周辺回路部３０２に含まれる任意の回路のｎ型のトランジスタとｐ型のトランジスタを示しているｎ型トランジスタは、ゲート電極層１２８に含まれるゲート電極１４０とＰ型の半導体領域１３９に配されたｎ型のソース領域、ドレイン領域１４１とを含んで構成されているそして、ｐ型のトランジスタは、ゲート電極層１２８に含まれるゲート電極１４３とｎ型の半導体領域１４２に配されたｐ型のソース領域、ドレイン領域１４４とを含んで構成されている。
【００５９】
シールリング１５０Ｂは、第２配線構造を構成する配線層やプラグ層の一部を用いて構成することができるシールリング１５０Ｂを第１部材３０８側から第２基板１２１に垂直に投影した領域は第２部材３０９の最外周部に配されるもしくは各種周辺回路を含む周辺回路部３０２の外側に配置されているこの配置関係は、図４と図３（Ｂ）とを参照すればより容易に理解されるそして、シールリング１５０Ｂは第２基板１２１の主面１２２からパッシベーション膜として機能する層間絶縁膜１２７の第２基板１２１とは反対側の表面まで配置されている。言い換えると、シールリング１５０Ｂは、半導体基板からパッシベーション膜として機能する層間絶縁膜１０６の第１部材３０８と接する面まで導電体が連続して配された構造である。
【００６０】
図４に示したようにシールリング１５０Ａと１５０Ｂとは互いに接しているより具体的には、シールリング１５０Ａの第２部材３０９側の最表面を構成する配線層１１１の導電パターンと、シールリング１５０Ｂの第１部材３０８側の最表面を構成する配線層１３４の導電パターンとが接している。
【００６１】
シールリング１５０Ｂは、第２基板１２１内に配置された、第２基板１２１と同じ導電型の半導体領域１３８´、１３９´を介して基板電位が供給されているそのため、シールリング１５０Ｂによって、外来ノイズの影響を抑制することができる。
【００６２】
以上のような、第１基板１０１の主面１０２と第２基板１２１の主面１２２とが向かい合って、第１部材３０８と第２部材３０９とが貼り合わされ（対向配置）、固体撮像装置を構成している。
【００６３】
このような構成によって、第１部材３０８の画素部３０１Ａや、第２部材３０９の画素部３０１Ｂと周辺回路部３０２Ｂとを含む素子領域への水分の浸入を抑制することが可能となる。
【００６４】
また、第１部材３０８の裏面側にパッド３１３の露出面が配置されることにより、外部回路からパッド３１３への電気的接続が容易となり、接続不良が抑制される。
【００６５】
ここで、図４の固体撮像装置の変形例を示す断面模式図の図５（Ａ）及び図５（Ｂ）を用いて説明する図５（Ａ）の固体撮像装置が、図４の固体撮像装置と異なる点は、第１及び第２配線構造の最表面にパッシベーション層としての機能がＳｉＮなどより小さい絶縁層１０６’が配置されている構成であるその他、図４の構成と同様の機能を有する部分には同様の符号を付し詳細な説明は省略する。
【００６６】
また、図５（Ａ）の構成においてはシールリング１５２Ａを設けていないこの場合であってもシールリング１５１Ａにより一定の防湿性を確保することが可能であるこれに対してシールリング１５０Ａ、１５０Ｂは配置されているこの構成により、パッシベーション層が配置されていないことによる第１、第２部材３０８、３０９の各最表面からの水分などの浸入の可能性を抑制することができる。
【００６７】
次に、図５（Ｂ）の固体撮像装置を説明する図５（Ｂ）の固体撮像装置が図４の固体撮像装置と異なる点は、シールリング１５０Ａ、１５１Ａを有さない点であるそして、パッシベーション層として機能する層間絶縁膜１０６´、１２７´が第１、第２部材３０８、３０９の各最表面に配置されているシールリング１５２Ａ、１５０Ｂは配置されているこのような構造の場合には、パッド３１３と第２部材３０９との電気的接続を取るための、第１部材３０８の導電パターン、第２部材３０９の導電パターンもシール部の一部を構成しているこの構成により、パッド開口１００での第１配線構造の断面からの水分などの浸入を抑制することができる各シールリングは、配線構造に含まれる配線層とプラグ層と同じ材料で構成された導電パターンの積層構造を有する。
【００６８】
次に、本実施例の図４の固体撮像装置の製造方法を、図６〜８を用いて説明する図６は第１部材３０８の製造工程を示す断面模式図であり、図７は第２部材３０９の製造工程を示す断面模式図であり、図８は第１部材３０８と第２部材３０９とを接合した後の製造工程を示す断面模式図である。
【００６９】
図４の第１部材３０８の製造工程を図６を用いて説明する図６においては、後に図４の第１部材３０８になる構成を３０８’とし、図４の画素部３０１、周辺回路部３０２、パッド部３１２、回路素子になる領域を３０１’、３０２’、３１２’としているそして、シールリング１５０Ａ、１５１Ａ、１５２Ａになる領域をシールリング１５０Ａ’、１５１Ａ’、１５２Ａ’としている。
【００７０】
まず、半導体基板４０１を準備し、半導体基板４０１に素子を形成する半導体基板４０１は主面４０２と裏面４０３を有し、その厚みはＤ３である半導体基板４０１を構成する主たる材料はシリコンである。
【００７１】
半導体基板４０１に、素子分離構造１１９を形成する素子分離構造１１９は、絶縁体を有し、例えばＬＯＣＯＳやＳＴＩ構造であるもしくはＰＮ接合分離、絶縁体とＰＮ接合分離の両者を有する構造としてもよいそして、半導体基板４０１にＰ型及びＮ型のウエルとして機能する半導体領域（不図示）を形成するその後、光電変換部を構成するｎ型半導体領域１１２、１１４を形成するまた、シールリングを構成する導電体に電気的に接続されるｎ型半導体領域１１２’、１１４’を形成するｎ型半導体領域１１２’、１１４’は基板と同じ導電型とすることができる。
【００７２】
次にゲート電極層１０７を形成するゲート電極層１０７は例えば、ポリシリコンで形成され、ゲート電極のみではなく配線をも含みうるここで、ゲート電極、素子分離及び半導体領域の形成方法については、一般的な半導体プロセスで形成可能であり、詳細な説明は省略する以上によって、図６（Ａ）の構成が得られる。
【００７３】
次に、半導体基板４０１の主面上に第１配線構造３２１を形成する第１配線構造３２１は、層間絶縁膜１０４、１０５、１０６と、プラグ層１０８、１１０と、配線層１０９、１１１とを有するここで、層間絶縁膜はシリコン酸化膜やシリコン窒化膜、あるいは有機樹脂等で形成され、配線層はアルミニウムを主成分とする配線や銅を主成分とする導電体からなる最表面の層間絶縁膜である層間絶縁膜１０６は、パッシベーション膜としてシリコン酸窒化膜やシリコン窒化膜で形成されうるコンタクトプラグは例えばタングステンで形成され、ビアプラグはタングステンで形成される配線材料として銅を用いた場合にはいわゆるダマシン構造として、ビアプラグを構成する材料として銅を主成分とすることができるここで、配線層１１１を構成する導電パターンにより接続部３１４Ａが構成される導電パターンの材料としては銅を主成分とすることができるまた、配線層１０９に含まれる導電パターンによりパッド３１３が構成されるパッドの材料はアルミニウムを主成分とするこれら配線層、プラグ層、層間絶縁膜の製造方法については、一般的な半導体プロセスで形成可能であり、詳細な説明は省略する以上によって、図６（Ｂ）の構成が得られる。
【００７４】
次に、図４の第２部材３０９の製造工程を、図７を用いて説明する図７においては、後に図４の第２部材３０９となる構成を３０９’とし、図４の画素部３０１Ｂ、周辺回路部３０２Ｂ、パッド部３１２Ｂになる領域を３０１’、３０２’、３１２’としているそして、シールリング１５０Ｂになる領域を１５０Ｂ´としている。
【００７５】
まず、半導体基板４０４を準備し、半導体基板４０４に素子を形成する半導体基板４０４は主面４０５と裏面４０６を有し、その厚みはＤ４であるそして、半導体基板４０４にＬＯＣＯＳやＳＴＩ構造を用いて素子分離構造１３６を形成するまた、半導体基板４０４にｐ型のウエルとして機能するＰ型の半導体領域１３５、１３９やｎ型のウエルとして機能するｎ型の半導体領域１４２を形成するその後、トランジスタを構成するソース領域、ドレイン領域となりうるｎ型半導体領域１３８、１４１、及びｐ型半導体領域１４４や、保護ダイオードを構成する半導体領域を形成するまた、シールリングを構成する導電体に電気的に接続されるｎ型半導体領域１３８’、１３９’を形成するｎ型半導体領域１３８’、１３９’は基板と同じ導電型とすることができるそして、トランジスタのゲート電極１３７、１４０、１４３及び配線（抵抗）を含むゲート電極層１２８をポリシリコン層の堆積及びパターニングによって形成するここで、ゲート電極、素子分離及び半導体領域の形成方法については、一般的な半導体プロセスで形成可能であり、詳細な説明は省略する以上によって、図７（Ａ）の構成が得られる。
【００７６】
次に、半導体基板４０４の主面上に第２配線構造３２２を形成する配線構造は、層間絶縁膜１２４〜１２７と、プラグ層１２９、１３１、１３３と、配線層１３０、１３２、１３４とを有するここで、層間絶縁膜はシリコン酸化膜であるシリコン窒化膜、あるいは有機樹脂等で形成され、配線層はアルミニウムを主成分とする配線や銅を主成分とする配線からなるここで、配線層１３４の導電パターンにより接続部３１４Ｂが構成され、銅を主成分とする材料から構成される最表面の層間絶縁膜である層間絶縁膜１０６は、パッシベーション膜として機能するようにシリコン酸窒化膜やシリコン窒化膜で形成されるこれら配線層、プラグ層、層間絶縁膜の製造方法については、一般的な半導体プロセスで形成可能であり、詳細な説明は省略する以上によって、図７（Ｂ）の構成が得られる。
【００７７】
次に、図６（Ｂ）及び図７（Ｂ）に示した第１部材３０８’と第２部材３０９’とを、互いの半導体基板の主面４０２及び主面４０５とが向かい合うように貼り合わせるつまり、第１部材３０８’の配線構造の最上面と第２部材３０９’の配線構造の最上面とが接合されるここで、第１接続部３１１及び３１４及び８０１は銅を主成分とする導電パターンから構成されているため、貼り合わせの際は銅の金属接合によって行うことが可能であるシールリング１５０Ａのシールリング１５０Ｂと直接接する最表面の導電パターンとシールリング１５１Ｂのシールリング１５０Ａと直接接する最表面の導電パターンとが接続部１５２を構成するまた、図６（Ｂ）で示した第１配線構造３２１と図７（Ｂ）で示した第２配線構造３２２とにより配線構造３２０が形成される。
【００７８】
第１部材３０８’と第２部材３０９’とが接合された後に、第１部材３０８’の半導体基板４０１の裏面４０３側を除去して厚みを減少させてもよいすなわち第１部材３０８’を薄膜化するまた、第２部材３０９’の半導体基板４０４の裏面４０６側を除去して厚みを減少させてもよいすなわち第２部材３０９’を薄膜化するなお、本実施例の薄膜化は、ＣＭＰやエッチングによって行うことが可能であるそして、半導体基板４０１は半導体基板１０１となり、厚みがＤ３からＤ１（Ｄ１＜Ｄ３）となる（図８（Ａ））このように半導体基板４０１を薄膜化し半導体基板１０１とすることで、後に入射光が光電変換部に効率良く入射することを可能にする半導体基板４０４は半導体基板１２１となり、厚みがＤ４からＤ２（Ｄ２＜Ｄ４）となる（図８（Ａ））また、この時、半導体基板１０１の厚みＤ１＜半導体基板１２１の厚みＤ２となる第２部材３０９’の薄膜化を行わない場合は、半導体基板１０１の厚みＤ１＜半導体基板４０４の厚みＤ４となる。
【００７９】
次に、半導体基板１０１の裏面４０８に、樹脂からなる平坦化層１１５、カラーフィルタ層１１６、樹脂からなる平坦化層１１７、マイクロレンズ層１１８をこの順に形成するこれら平坦化層、カラーフィルタ層、マイクロレンズ層の製造方法については、一般的な半導体プロセスで形成可能であり、詳細な説明は省略するここでマイクロレンズ層はパッド部となる３１２’の領域まで形成されていてもよい以上の工程によって、図８（Ｂ）の構成が得られる。
【００８０】
そして、パッド３１３表面を露出するための開口１００を形成するここでは、フォトリソグラフィ技術を用いてマイクロレンズ層１１８の上に任意の開口を有するフォトレジストマスクを設けるそして、ドライエッチング技術を用いて、マイクロレンズ層１１８、平坦化層１１７、カラーフィルタ層１１６、平坦化層１１５、半導体基板１０１及び層間絶縁膜１０４’を除去し、パッド３１３を露出させる開口１００を形成するそして、マイクロレンズ層１１８、平坦化層１１７、１１５、カラーフィルタ層１１６、半導体基板１０１及び層間絶縁膜１０４が形成される以上の工程によって、図８（Ｃ）の構成、すなわち図４と同じ構成が得られる。
【００８１】
以上のように、シールリング１５０Ａ、１５１Ａ、１５２Ａ、１５０Ｂは配線構造の配線と同一工程で形成可能であるなお、エッチングの際には、パッド３１３をエッチングストッパとして機能させることが可能である。
【００８２】
本発明は本実施例の製造方法において説明した工程に限定されるものではなく、工程順が変更されていてもよいまた、第２部材３０９は第１部材３０８に引き続いて形成してもよいし、並行して形成してもよい更には、第１部材３０８と第２部材３０９とを購入し、貼り合わせて形成することも可能であるなお、半導体基板４０１、４０２にはＳＯＩ基板を適用することも可能である。
【００８３】
（実施例２）
本発明の実施例２について、図９を用いて説明する図９（Ａ）、図９（Ｂ）及び図９（Ｃ）は固体撮像装置の断面模式図であり、それぞれ図４で示した固体撮像装置の変形例を示す断面図である図９において図４と同様の構成については同一の符号を付し、詳細な説明を省略する。
【００８４】
本実施例において、実施例１と異なる点は、パッド３１３から第２部材への電気経路である実施例１においては第１部材に配されたパッド３１３を第２部材方向に垂直投影した領域内にプラグ、配線を配していたそして、第２部材の下層の配線層まで電気経路を形成した後、第２部材の回路素子との信号の受け取りが可能なように電気的接続を行なっていた。
【００８５】
これに対して本実施例においては、第１部材内でパッド３１３から周辺回路部まで電気経路を設けた後、プラグ等を介して第２部材との電気的接続を行なっている。
【００８６】
図９（Ａ）に示すように、第１部材８０８において、パッド３１３から周辺回路部まで水平方向に延伸した引き出し配線３１６を有するまた、第２部材８０９は第１部材８０８の引き出し配線３１６により水平方向に延伸された領域に接続部を有するシールリング１５０Ａ、１５１Ａ、１５２Ａ、１５０Ｂは、実施例１と同様の構成であるなお、図９（Ａ）の固体撮像装置はシールリング１５１Ａを配することにより、シールリング１５０Ａと１５２Ａの少なくとも一方が配置されていれば良いしかし、１５０Ａと１５２Ａが連続的に配されている構成は実施例１で説明したように防湿効果やチッピング対策として有効であるまたパッド３１３は第２部材８０９の主面１２２よりも第１部材８０８側に配されていればどのような位置に配置されていてもよい。
【００８７】
次に、図９（Ｂ）について説明する図９（Ｂ）の図９（Ａ）の固体撮像装置と異なる点は、パッシベーション層を有していない点である配線構造の最表面にパッシベーション層としての機能がＳｉＮなどより小さい絶縁層１０６’が配置されているこの場合は、シールリング１５１Ａを有しているため、図９（Ｂ）で示すようにシールリング１５２Ａは必ずしも必要ではないが、シールリング１５０Ａ、１５１Ｂは配置され、各々の最表面を構成する導電パターンどうしが接しているこの構成により、パッシベーション層が配置されていないことによる第１、第２部材の各最表面からの水分などの浸入を抑制することができるまた、第２部材８０９のシールリング１５０Ｂは、パッド部の内側の周辺回路部より外側で、パッド部より外側の外周部までの間に配置すればよい図９（Ｂ）の固体撮像装置では、第２部材の最外周にシールリング１５０Ｂを配置して図９（Ａ）と同様な効果を得ている。
【００８８】
次に、図９（Ｃ）の固体撮像装置の説明をする図９（Ｃ）の固体撮像装置が図９（Ａ）の固体撮像装置と異なる点は、シールリング１５１Ａを有さずに、パッシベーション層が第１、第２部材の各最表面に配置されている構成であるこの場合は、シールリング１５０Ａ、１５０Ｂは必ずしも必要ではないが、シールリング１５２Ａは配置されるまたこのような構成はパッシベーション層がシールリングの一部を構成しているともいえる。
【００８９】
この構成により、パッド部の開口での配線構造の断面からの水分などの浸入を抑制することができる。
【００９０】
（実施例３）
本発明の実施例３について、図１０、図１１を用いて説明する図１０（Ａ）、図１０（Ｂ）及び図１０（Ｃ）は固体撮像装置の断面模式図であり、それぞれ図４で示した固体撮像装置の変形例を示す断面図である図１１は図１０の固体撮像装置の更なる変形例である図１０、図１１において図４と同様の構成については同一の符号を付し、説明を省略する。
【００９１】
本実施例において、実施例１と異なる構成はパッドの配置である。
【００９２】
図１０（Ａ）が図４の固体撮像装置と異なる点はパッド１０１３を構成する導電パターンが第２部材９０９に配されている点であるそして第１部材９０８のパッド部に対応する第１部材９０８の一部が貫通されているまた、第２部材９０９は、パッド３１３から水平方向への引き回しを行う引き出し配線３１６を有するシールリングは、実施例１と同様の構成を用いることができるまた、外部ノイズの影響も抑制できるなお、図１０（Ａ）の固体撮像装置はシールリング１５１Ａを有するため、シールリング１５０Ａと１５２Ａの少なくとも一方が配置されていれば良い１５０Ａと１５０Ｂとが全周で接続されている構成は実施例１で説明したように防湿効果やチッピング対策として有効である。
【００９３】
次に、図１０（Ｂ）が図１０（Ａ）の固体撮像装置と異なる点は、パッシベーション層を有していない点である配線構造の最表面にパッシベーション層としての機能がＳｉＮなどより小さい絶縁層１０６’が配置されている図９（Ｂ）と同様の趣旨の実施形態であるこの場合は、シールリング１５１Ａ、１５１Ｂを有しているため、図９（Ｂ）で示すようなシールリング１５２Ａは必ずしも必要ではないが、シールリング１５０Ａ、１５０Ｂは配置するこの構成により、パッシベーション層が配置されていないことによる第１、第２部材の各最表面からの水分などの浸入の可能性を抑制することができるまた、第２部材８０９のシールリングは、パッド部の内側の周辺回路部より外側で、パッド部より外側の外周部までの間に配置すればよい図１０（Ｂ）の固体撮像装置では、外周部にシールリング１５０Ａを配置して図１０（Ａ）と同様な効果を得ることができる。
【００９４】
次に図１０（Ｃ）の固体撮像装置について説明する図１０（ｃ）が図１０（Ａ）の固体撮像装置と異なる点は、シールリング１５１Ａを有さずに、パッシベーション層が第１、第２部材の各最表面に配置されている構成である図９（ｃ）の構成と同趣旨の実施形態であるこの場合は、シールリング１５０Ａは必ずしも必要ではないが、シールリング１５２Ａ、１５０Ｂ、１５１Ｂは配置するこの構成により、パッド部の開口での配線構造の断面からの水分などの浸入を抑制することができるなお、シールリング１５０Ａ、１５０Ｂとは、全周にわたって接続されていなくても良い。
【００９５】
図１１は、図１０の固体撮像装置の変形例で、第２部材１００９にパッド３１３が配されているそしてパッド３１３に対して第２基板の裏面側から第２基板を貫通する貫通電極３１７を有するパッド３１３は、配線層と同じ導電パターンで形成され、半導体基板の一方の面から対向する他方の面に貫通する貫通電極３１７と接続される電極パッドであるそして、他の実施例で説明したパッド部のシールリング１５１Ａを形成する必要がなく、シールリング１５０Ａ、１５０Ｂを有していればよい固体撮像装置の裏面で他の回路基板と接続できるため、固体撮像装置の小型化が実現できる。
【００９６】
（実施例４）
本発明の実施例４について、図１２を用いて説明する図１２（Ａ）、図１２（Ｂ）及び図１２（Ｃ）は固体撮像装置の断面模式図であり、それぞれ図４で示した固体撮像装置の変形例を示す断面図である図１２において図４と同様の構成については同一の符号を付し、説明を省略する。
【００９７】
本実施例において、実施例１と異なる構成は、引き出し配線３１６とパッド部の配置であるなお、図１２は図１０で示した固体撮像装置と同様にワイヤーボンディング用に、パッド上の第１部材１１０８、第２部材１１０９の一部が除去されている。
【００９８】
図１２（Ａ）が図４の固体撮像装置と異なる点は、第１部材１１０８のパッド部に対応する部分が除去されており、第２部材１１０９にパッド３１３を有する点であるまた、第２部材１１０９のパッド３１３と周辺回路部とを電気的に接続するために第１部材１１０８に配置された引き出し配線３１６を有する。
【００９９】
第１部材１１０８に第１シール部として、シールリング１５０Ａ、１５１Ａ、１５２Ａが配されるそして、第２部材１１０９に第２シール部として１５０Ｂ、１５１Ｂ、１５２Ｂが配されるこれまでの実施例と同様に第１シール部、第２シール部に外部からのノイズの影響を抑制する機能を持たせてもよいまた、第２部材１１０９のシールリング１５２Ｂはパッド部と周辺回路との間に配置される更に、シールリング１５２Ｂは、第１部材１１０８側から第２部材１１０９の第２基板に垂直に投影した場合に、周辺回路部の周囲を囲むように配置されているのがよいなお、図１２（Ａ）の固体撮像装置はシールリング１５１Ａを有するため、シールリング１５０Ａと１５２Ａの少なくとも一方が配置されていれば良いそして、シールリング１５１Ｂを有するため、シールリング１５０Ｂと１５２Ｂの少なくとも一方が配置されていれば良い。
【０１００】
次に、図１２（Ｂ）の固体撮像装置の説明をする図１２（Ｂ）の構成が図１２（Ａ）の固体撮像装置と異なる点は、パッシベーション層を有していない点である配線構造の最表面にパッシベーション層としての機能がＳｉＮなどより小さい絶縁層１０６’が配置されている構成である図９（Ｂ）、図１０（Ｂ）と同趣旨の実施形態であるこの場合は、シールリング１５１Ａ、１５１Ｂを有しているため、図１２（Ｂ）で示すようにシールリング１５２Ａは必ずしも必要ではないが、シールリング１５０Ａは配置する。
【０１０１】
この構成により、パッシベーション層が配置されていなくても第１、第２部材の各最表面からの水分などの浸入の可能性を抑制することができるなお、シールリング１５０Ｂ、１５１Ｂが配置されていればシールリング１５２Ｂは必ずしも必要ではないが、シールリング１５２Ｂを配置すればより防湿性が向上する。
【０１０２】
次に図１２（Ｃ）の固体撮像装置の説明を行う図１２（Ｃ）の構成が図１２（Ａ）の固体撮像装置と異なる点は、配線構造が、シールリング１５１Ａを有さずに、パッシベーション層が第１、第２部材の各最表面に配置されている構成であるシールリング１５０Ａとシールリング１５２Ａは配置されているそして、シールリング１５２Ｂも配置されているこの構成により、パッド部の開口での配線構造の断面からの水分などの浸入を抑制することができるなお、パッド３１３が第２部材の最表面に配置されている場合は、シールリング１５２Ｂは配置されていなくても良いが、配置すれば、より防湿性が向上する。
【０１０３】
以上、第１部材と第２部材とを重ねて接続した固体撮像装置の説明を行ったが、第１部材と第２部材のシールリング１５０Ａ、１５０Ｂが電気的に接続され、且つ、各々が基板に配された半導体領域と接続される場合にはそれら半導体領域は同じ導電型がよい。
【０１０４】
第１部材のシールリングと第２部材のシールリングを接続せず、独立して配置する場合は、異なる導電型の半導体基板を用いることが可能であるこの独立して配置する構成は、第１部材、第２部材の半導体基板が同じ導電型であっても異なる導電型であっても、どちらかの部材にノイズが混入した場合に、もう一方の基板はその影響を受けにくいという効果を有する。
【０１０５】
（実施例５）
図１３を用いて実施例５の固体撮像装置に関して説明する実施例５の固体撮像装置の実施例１〜４の固体撮像装置と異なる点は、第１部材と第２部材のシール部において、導電体で構成されたシールリングどうしは接触しておらず、第１部材、第２部材の最表面に配されたパッシベーション層が互いに接している点である。
【０１０６】
第１部材１３０８は導電体により構成されたシールリング１５２Ａを有している第２部材１３０９は導電体により構成されたシールリング１５０Ｂを有しているシールリング１５２Ａと１５０Ｂとは水平方向にオフセットして配されており、互いの最表面を構成する導電パターンどうしが接していない。しかしながら最表面を吸湿性の高いパッシベーション層１３０１Ａ，１３０１Ｂを配することにより、シール特性を維持している。
【０１０７】
以下、上記の各実施形態に係る固体撮像装置の応用例として、固体撮像装置が組み込まれた撮像システムについて例示的に説明する撮像システムには、撮影を主目的とするカメラなどの装置のみならず、撮影機能を補助的に備える装置（例えば、パーソナルコンピュータ、携帯端末）も含まれる例えば、カメラは、本発明に係る固体撮像装置と、固体撮像装置から出力される信号を処理する処理部とを含むこの処理部とは、例えば、Ａ／Ｄ変換器、及びＡ／Ｄ変換器から出力されるデジタルデータを処理するプロセッサを含みうる。
【０１０８】
以上述べてきたように、本発明の固体撮像装置によれば、光電変換部や周辺回路部への水分の浸入が抑制可能であるまた、本発明の製造方法によれば、第１部材と第２部材との接続部による結合と同時にシールリングの結合を同時に行うことができるため、製造工程に必要な時間を増やすことなく防湿性向上やチッピング抑制が可能となる。
【０１０９】
なお、本発明は明細書記載の構成に限定されるものではなく、導電型や回路も逆導電型にするなど変更可能であるまた、接続部が画素部とは異なる領域（例えば、周辺回路部）にのみ配置されている場合においても、本発明は適用可能であるまた、各実施例の構成を適宜組み合わせることも可能である。
【符号の説明】
【０１１０】
３０１  画素部
３０２  周辺回路部
３０８  第１部材
３０９  第２部材
１５０  シールリング
１５１  シールリング
１５２  シールリング
【図１】
2020191467.tif 000003
【図２】
2020191467.tif 000004
【図３】
2020191467.tif 000005
【図４】
2020191467.tif 000006
【図５】
2020191467.tif 000007
【図６】
2020191467.tif 000008
【図７】
2020191467.tif 000009
【図８】
2020191467.tif 000010
【図９】
2020191467.tif 000011
【図１０】
2020191467.tif 000012
【図１１】
2020191467.tif 000013
【図１２】
2020191467.tif 000014
【図１３】
2020191467.tif 000015